(57)【要約】      （修正有）【課題】開口部を複数の方向から開く電気機器用のカバーと検出部とを連動させる。【解決手段】開口部２０１は、ハウジング１０３で隣り合う二つの面１０３ａ、１０３ｃに跨って設けられる。第１扉２０９は、ハウジング１０３に回動自在に取り付けられ、開口部２０１のうち一つの面１０３ａに開口する部分を開閉する。第２扉２１０は、第１扉２０９に取り付けられ、開口部２０１のうちもう一つの面１０３ｃに開口する部分を開閉する。第２扉２１０は、ネジで留められることにより第１扉２０９に対し固定される。突出体３０１は、第２扉２１０の回動先端側から突出し、ハウジング１０３に設けられた検出孔２１９に入り込む。この検出孔２１９は、第２扉２１０が第１扉２０９に対し固定された状態で動く突出体３０１も、第２扉２１０が第１扉２０９に対し回動自在である状態で動く突出体３０１も入り込む形状を有する。【選択図】図３
2010143112.tif 000002
【特許請求の範囲】
【請求項１】
隣り合う第１面と第２面とを有するハウジングと、
前記第１面と前記第２面とに跨って設けられた開口部と、
前記ハウジングに回動自在に取り付けられ、前記開口部のうち前記第１面に開口する部分を開閉する第１扉と、
前記第１扉に回動自在に取り付けられ、前記開口部のうち前記第２面に開口する部分を開閉する第２扉と、
前記第１扉と前記第２扉とを前記開口部の全体を閉じる形状に固定する固定構造と、
前記第１扉に対する前記第２扉の回動中心から離反する方向に前記第２扉の回動先端側から突出する突出体と、
前記ハウジングにおいて、前記固定構造によって固定された前記第１扉と前記第２扉との回動に伴う前記突出体の第１の移動軌跡に交差する箇所と、前記第１扉が前記開口部のうち前記第１面に開口する部分を閉止した状態での前記第２扉の回動に伴う前記突出体の第２の移動軌跡に交差する箇所とに開口する検出孔と、
前記ハウジングの内部に設けられ、前記検出孔に入り込んだ前記突出体を検出する検出部と、
を備えることを特徴とする電気機器。
【請求項２】
前記検出部は、前記検出孔内で前記第１及び第２の移動軌跡のいずれか一方に沿って変位自在であり、一方の前記移動軌跡に沿って移動する前記突出体には非滑り状態で押されて変位し、他方の前記移動軌跡に沿って移動する前記突出体には傾斜状態の滑り接触で押されて変位する移動片を有し、この移動片の変位によって接点を開閉するマイクロスイッチを備えることを特徴とする請求項１記載の電気機器。
【請求項３】
前記検出部は、前記検出孔内で前記第１及び第２の移動軌跡に沿って移動する前記突出体との間で傾斜状態の滑り接触によって押されて変位する移動片を有し、この移動片の変位によって接点を開閉するマイクロスイッチを備えることを特徴とする請求項１記載の電気機器。
【請求項４】
前記移動片及び前記突出体の少なくとも一方は、他方に当接する領域が凸の曲面状であることを特徴とする請求項２又は３のいずれか一に記載の電気機器。
【発明の詳細な説明】
【技術分野】
【０００１】
本発明は、開口部を有し、その開口部を開閉するカバーが取り付けられている電気機器に関する。
【背景技術】
【０００２】
電子機器には、使用者がハウジングの内部に手を入れて操作やメンテナンスを行うための開口部がハウジングに設けられ、ハウジングに取り付けられたカバーによってその開口部が開閉されるものがある。例えば、特許文献１には、そのようなハウジングとカバーとを有するプリンタが記載されている。このプリンタは、ハウジングの上面に取り付けられて上方に開き開口部を開閉するカバーを備える。
【０００３】
【特許文献１】特開２００７−１６０８１６公報（図３〜図５、図７〜図９）
【発明の開示】
【発明が解決しようとする課題】
【０００４】
特許文献１に記載のプリンタは、棚の内空間のような高さ寸法が限られている空間に設置された場合、上方に開くカバーがその内空間の天井にぶつかって、開口部が十分に開放されない。この点を考えると、プリンタをはじめとする各種の電気機器のハウジングに開口部が設けられ、その電気機器を開閉するカバーが取り付けられている場合でも、電気機器の設置場所によっては、カバーを開くことが出来ない場合が生じる。
【０００５】
ところで、電気機器のハウジングの内部に配置された配線や回路に使用者が触れて使用者が感電したり電気機器が故障したりすることを防ぐために、カバーの開閉に伴って作動する検出部を電気機器に設け、カバーの開閉に連動して電気機器に対する給電を停止させることがある。このような検出部は、給電を停止する以外にも、カバーが開けられたことが検知された場合に警告音を鳴らしたりエラーメッセージをディスプレイに表示させたりするために用いられる場合もある。
【０００６】
本発明は、以上の点を鑑みてなされたものであり、開口部を複数の方向から開く電気機器用のカバーと検出部とを連動させることを目的とする。
【課題を解決するための手段】
【０００７】
本発明の電気機器は、隣り合う第１面と第２面とを有するハウジングと、前記第１面と前記第２面とに跨って設けられた開口部と、前記ハウジングに回動自在に取り付けられ、前記開口部のうち前記第１面に開口する部分を開閉する第１扉と、前記第１扉に回動自在に取り付けられ、前記開口部のうち前記第２面に開口する部分を開閉する第２扉と、前記第１扉と前記第２扉とを前記開口部の全体を閉じる形状に固定する固定構造と、前記第１扉に対する前記第２扉の回動中心から離反する方向に前記第２扉の回動先端側から突出する突出体と、前記ハウジングにおいて、前記固定構造によって固定された前記第１扉と前記第２扉との回動に伴う前記突出体の第１の移動軌跡に交差する箇所と、前記第１扉が前記開口部のうち前記第１面に開口する部分を閉止した状態での前記第２扉の回動に伴う前記突出体の第２の移動軌跡に交差する箇所とに開口する検出孔と、前記ハウジングの内部に設けられ、前記検出孔に入り込んだ前記突出体を検出する検出部と、を備えることを特徴とする。
【発明の効果】
【０００８】
本発明によれば、第１扉と第２扉とを固定することで開口部の全体を開放するができ、第1扉と第２扉とを固定せずに第２扉のみを開くことで開口部のうちハウジングの第２面側を開放することができる。そして、第１扉と第２扉とを固定しこれらを開くことによっても、第２扉のみを開くことによっても、突出体は検出孔に入り込んだり、検出孔から抜けたりすることができる。したがって、開口部を複数の方向から開く電気機器用のカバーと検出部とを連動させることができる。
【発明を実施するための最良の形態】
【０００９】
本発明の実施の一形態（第一の実施の形態）について、図１ないし図９に基づいて説明する。本実施の形態で説明する電気機器は、ＲＦＩＤ単票プリンタ１０１である。このＲＦＩＤ単票プリンタ１０１は、ＲＦＩＤチップ（図示せず）を埋設しているリライタブル単票１０２（図３参照）に印字及びデータ書込を行って発行する。リライタブル単票１０２は、印加される熱により達する温度の違いに応じて印字と印字内容の消去との両方が可能なものである。より詳細には、リライタブル単票１０２の表面には、ロイコ染料や顕色剤などを含む可逆性感熱記録層が重層される。可逆性感熱記録層は、加熱後の急冷によって印字内容が定着し、加熱後の徐冷によって印字内容が消去されるという特性を有する。このようなリライタブル単票１０２に対し、ＲＦＩＤ単票プリンタ１０１は、リライタブル単票１０２に対して加える温度を違えることで、印字だけでなく、既に印字されている印字内容の消去も行う。
【００１０】
図１は、ＲＦＩＤ単票プリンタ１０１の外観斜視図である。ＲＦＩＤ単票プリンタ１０１は、ハウジング１０３を有する。ハウジング１０３は、概ね直方体形状の箱型であり、平面視において矩形に見える。給紙部カバー１０４は、ハウジング１０３の短手方向の一方の第１面としての上流側側面１０３ａに、開閉自在に取り付けられる。使用者は、給紙部カバー１０４を開くことにより、ハウジング１０３の内部に設けられた給紙部２０２（図３参照）にリライタブル単票１０２を補給できる。上流側側面１０３ａにおいて給紙部カバー１０４よりも右下に当たる位置には、電源供給ケーブル差込口１１２が設けられている。電源供給ケーブル差込口１１２には、ＲＦＩＤ単票プリンタ１０１に２４Ｖ電源を供給するための電源供給ケーブル（図示せず）が差し込まれる。
【００１１】
図２は、ＲＦＩＤ単票プリンタ１０１を図１とは反対側から見た外観斜視図である。ハウジング１０３は、上流側側面１０３ａとは反対側の短手方向の他方の下流側側面１０３ｂに、排紙口１０５と、リジェクト集積部カバー１０６と、液晶ディスプレイ１０７と、操作パネル１０８とが設けられる。ハウジング１０３の内部で、リジェクト集積部カバー１０６の裏側にあたる箇所には、リジェクト集積部（図示せず）が設けられる。
【００１２】
ハウジング１０３は、上面に、上流側カバー１０９及び下流側カバー１１０を有する。上流側カバー１０９及び下流側カバー１１０は、ヒンジ１１１を介して、いずれも上方に向けて開閉自在にハウジング１０３に取り付けられる。上流側カバー１０９は、下流側カバー１１０よりも給紙部カバー１０４に近い箇所に設けられる。下流側カバー１１０は、ハウジング１０３とともに、排紙口１０５を形成する。上流側カバー１０９の下方には、給紙部２０２（図３参照）から排紙口１０５に向けて搬送されるリライタブル単票１０２（図３参照）に対し熱を加えてそのリライタブル単票１０２の印字内容を消去する消去部（図示せず）が設けられる。下流側カバー１１０の下方には、消去部を通過したリライタブル単票１０２内のＲＦＩＤチップに対しデータ書込みを行うＲＦＩＤリーダライタ（図示せず）と、データ書込済のリライタブル単票１０２に対し印字を行う印字部（図示せず）が設けられる。ＲＦＩＤ単票プリンタ１０１は、リライタブル単票１０２を消去部、ＲＦＩＤリーダライタ及び印字部に搬送して印字内容の消去、データ書込み、印字を行い、排紙口１０５からリライタブル単票１０２を発行する。また、ＲＦＩＤ単票プリンタ１０１は、ＲＦＩＤリーダライタがＲＦＩＤチップに対する通信が失敗したと判定した場合にそのＲＦＩＤチップを有するリライタブル単票１０２をリジェクト集積部に振り分ける機能を備える。そのため、リジェクト集積部には、壊れているＲＦＩＤチップを有しているとＲＦＩＤ単票プリンタ１０１に判定されたリライタブル単票１０２が蓄積される。使用者は、リジェクト集積部カバー１０６を開いて、リジェクト集積部から、壊れているＲＦＩＤチップを有しているリライタブル単票１０２であると判定されたリライタブル単票１０２を取り出すことができる。
【００１３】
図３は、給紙部カバー１０４が開かれた状態のＲＦＩＤ単票プリンタ１０１の外観斜視図である。ハウジング１０３は、開口部２０１を有する。開口部２０１は、上流側側面１０３ａと、この上流側側面１０３ａに隣り合う第２面としての左側側面１０３ｃとに跨って設けられる。左側側面１０３ｃは、図１や図３において、上流側側面１０３ａの左側に隣接する側面である。左側側面１０３ｃは、下流側側面１０３ｂとも隣り合っている（図２参照）。給紙部カバー１０４が図３のように開かれると、ハウジング１０３の内部に設けられた給紙部２０２は露出する。給紙部２０２は、モータ（図示せず）の駆動により上下に移動する用紙載置台２０３を有する。用紙載置台２０３のうち上流側側面１０３ａ側の辺には、上下に延びる用紙ガイド２０４が設けられる。用紙載置台２０３のうち下流側側面１０３ｂ（図２参照）側の辺には、上下に延びる用紙ガイド２０５が設けられる。用紙載置台２０３のうち図３における右側の辺には、上下に延びる支持パネル２０６が設けられる。用紙載置台２０３のうち左側側面１０３ｃ側の辺には、上下に延び下部を固定され上部が左方に開くよう開閉自在となっている用紙カバー２０７が設けられる。用紙載置台２０３、用紙ガイド２０４、用紙ガイド２０５、支持パネル２０６及び用紙カバー２０７は、ハウジング１０３に固定的に取り付けられたシャシー２０８に取り付けられる。用紙ガイド２０４は、シャシー２０８に設けられた装着孔２０４ａに上方から差し込むことでＲＦＩＤ単票プリンタ１０１に取り付けられる。そして、使用者は、用紙ガイド２０４を手に持って上方に持ち上げて用紙ガイド２０４を装着孔２０４ａから抜いて取り外し、上流側側面１０３ａの側からリライタブル単票１０２を給紙部２０２にセットすることができる。また、用紙カバー２０７の上部には、把手２０８ａが取り付けられている。そして、使用者は、把手２０８ａを引っ張ることで用紙カバー２０７を開き、左側側面１０３ｃの側からリライタブル単票１０２を給紙部２０２にセットすることができる。
【００１４】
給紙部カバー１０４は、平面視においてＬ字形状であって、図３に示すように開口する開口部２０１を閉止する形状を有する。給紙部カバー１０４は、第１扉２０９と第２扉２１０とにより構成される。第１扉２０９は、開口部２０１のうち上流側側面１０３ａに開口する部分と同じ形状を有する。第１扉２０９は、ヒンジ２１１を介してハウジング１０３に開閉自在に取り付けられる。ヒンジ２１１が取り付けられている第１扉２０９の側部と反対側の側部には、ヒンジ２１２（図１及び図２参照）と固定板２１３（図２参照）とが取り付けられている。ヒンジ２１２は、第１扉２０９と第２扉２１０とを回動自在に取り付けられる。第２扉２１０は、開口部２０１のうち左側側面１０３ｃに開口する部分を閉止する形状を有する。第２扉２１０のうち左側側面１０３ｃと面一をなす面には、把手２１４が設けられている。
【００１５】
給紙部カバー１０４は、開口部２０１の全体を開閉することも、開口部２０１のうち左側側面１０３ｃに開口する部分のみを開閉することもできる。この点について、図１及び図２に基づいて説明する。第２扉２１０が回動し第１扉２０９と対面する第２扉２１０の側面２１０ａには、二つのネジ孔２１５が設けられている。固定板２１３には、第２扉２１０が開口部２０１を閉じた状態でネジ孔２１５と一致する箇所に、雌ネジ孔２１６が設けられている。第２扉２１０を回動して第１扉２０９と第２扉２１０とが９０度の角度をなすよう第２扉２１０を位置付けることで、第２扉２１０の側面２１０ａが有するネジ孔２１５と固定板２１３が有する雌ネジ孔２１６とが重なる。この状態で、第２扉２１０の側面２１０ａのネジ孔２１５の外側からネジ２１７を嵌め込み雌ネジ孔２１６に螺合することにより、第１扉２０９と第２扉２１０とは上流側側面１０３ａと左側側面１０３ｃとのなす角と同一の角度（本実施の形態では９０度）をなす位置関係に固定され、給紙部カバー１０４は開口部２０１の全体を閉じる形状となる。また、このネジ２１７を外すことにより、第２扉２１０は第１扉２０９に対し回動自在となる。このように、ネジ孔２１５と雌ネジ孔２１６とは、ネジ２１７に螺合されることによって、上流側側面１０３ａと左側側面１０３ｃとのなす角と同一の角度で第１扉２０９と第２扉２１０とを固定し、第１扉２０９と第２扉２１０とを開口部２０１の全体を閉じる形状に固定する固定構造２１８を構成する。ネジ２１７によって第１扉２０９と第２扉２１０とが固定された状態では、把手２１４を持ってハウジング１０３の外側に開くことにより、第１扉２０９と第２扉２１０とが一体に動き、開口部２０１の全体を開放することができる（図３参照）。この状態で、使用者は、リライタブル単票１０２を上流側側面１０３ａの側から給紙部２０２にセットすることが可能になる。一方、ネジ２１７が外された状態では、図２に示すように、第１扉２０９で開口部２０１のうち上流側側面１０３ａだけを閉止し、第２扉２１０のみ回動して開口部２０１のうち左側側面１０３ｃに開口する部分だけを開閉することもできる。この状態で、使用者は、リライタブル単票１０２を左側側面１０３ｃの側から給紙部２０２にセットすることが可能になる。
【００１６】
第２扉２１０には、突出体３０１が取り付けられている。突出体３０１について、図２及び図３に基づいて説明する。第２扉２１０において、ネジ孔２１５が設けられている第２扉２１０の側面２１０ａ（図１も参照）とは反対側の側面２１０ｂの中央には、第１扉２０９に対する第２扉２１０の回動中心（ヒンジ２１１の回動中心点２１１ａ（図５参照））の方向に凹に設けられた凹部３０２を有する。凹部３０２の下面には、ヒンジ２１１の回動中心点２１１ａから離反する方向に延出する延出部３０３が形成されている。凹部３０２の内側であって延出部３０３の上面には、円柱形状の軸体３０４が設けられている。軸体３０４の上方からは、円周形状の内周面を有する円板体３０５が装着される。装着された円板体３０５は、その円板体３０５の上方に位置付けられ軸体３０４に圧入されて組み付けられるＥリング（図示せず）によって脱落が防止され、軸体３０４を中心に回動自在となる。円板体３０５の一部は、円板体３０５が軸体３０４に取り付けられた状態で、ヒンジ２１１の回動中心点２１１ａから離反する方向に側面２１０ｂから突出する。このように、延出部３０３及び円板体３０５は、第２扉２１０から突出する突出体３０１を構成する。
【００１７】
突出体３０１は、ハウジング１０３のうち左側側面１０３ｃで上下に延びる辺の中央に設けられた検出孔２１９に入り込む。検出孔２１９は、水平方向に細長い孔であり、その一部は左側側面１０３ｃに形成され、そこからＲＦＩＤ単票プリンタ１０１の上流側側面１０３ａから見て右に向かう方向に連なって延びている。突出体３０１は、検出孔２１９に入り込むことで、ハウジング１０３の内部に設けられる検出部としてのマイクロスイッチ３０６を切り替える。この点については、図４に基づいて説明する。
【００１８】
ハウジング１０３において、左側側面１０３ｃに連続しており、上流側側面１０３ａと平行であって、給紙部カバー１０４が開口部２０１の全てを閉じた状態で第２扉２１０の側面２１０ｂに接する当接面１０３ｅでは、検出孔２１９に対して上方及び下方それぞれに、磁石部２２０が設けられる。また、給紙部カバー１０４の第２扉２１０において、側面２１０ｂのうち磁石部２２０と対面する領域には、鉄体２２１が埋設される。鉄体２２１は、給紙部カバー１０４が開口部２０１の全てを閉じた状態で磁石部２２０に引っ張られる。さらに、給紙部カバー１０４が開口部２０１の全体を閉じると、延出部３０３が検出孔２１９の下面に接触する。このため、磁石部２２０と鉄体２２１との磁力だけでなく、延出部３０３と検出孔２１９の下面との摩擦力によって、給紙部カバー１０４が開口部２０１の全体を閉じたままの状態が維持される。
【００１９】
図４は、マイクロスイッチ３０６を示す模式的な平面図である。マイクロスイッチ３０６は、２４Ｖ電源用のメカスイッチであり、移動片３０７が変位して接点としての電極接点３０８を開閉することで切り替わる。このマイクロスイッチ３０６が切り替わることで、ＲＦＩＤ単票プリンタ１０１へ電力が供給されたりその供給が中止されたりする。マイクロスイッチ３０６は、移動片３０７を有する。移動片３０７は、ハウジング１０３の内部に配置される。移動片３０７は、上下に細長く、平面視における断面形状が角丸長方形となる平板状の部材である。移動片３０７は、平面部分を上流側側面１０３ａ及び下流側側面１０３ｂに向けて配置されており、ＲＦＩＤ単票プリンタ１０１において上流側側面１０３ａから下流側側面１０３ｂに向かう所定の方向Ｄに変位自在となっている。以下、移動片３０７が有する面のうち、上流側側面１０３ａに向く面を表面３０９と呼び、下流側側面１０３ｂに向く面を裏面３１０と呼ぶ。移動片３０７は、シャシー２０８に取り付けられる付勢体としてのスプリング（図示せず）に付勢されて、上流側側面１０３ａ側に寄せて位置付けられる。移動片３０７に対し下流側側面１０３ｂ側で移動片３０７の裏面３１０から離反した位置には、シャシー２０８等に固定されている固定体３１２が配置される。接点としての電極接点３０８は、移動片３０７の裏面３１０に配置される平板状の金属体３１１と、この金属体３１１に対向する位置で固定体３１２から移動片３０７に向けて突出する金属突起３１３と、により構成される。金属体３１１と金属突起３１３は、ＲＦＩＤ単票プリンタ１０１内を流れる電流の回路（図示せず）の一部を構成している。このため、金属体３１１と金属突起３１３とが接触することによりオンとなり、ＲＦＩＤ単票プリンタ１０１に対する給電がなされる。また、金属体３１１と金属突起３１３とが離反することによりオフとなり、ＲＦＩＤ単票プリンタ１０１に対する給電が途絶える。なお、電極接点３０８を構成する金属体３１１及び金属突起３１３は、検出孔２１９から入りうる使用者の人体（指）やゴミ等の異物が触れないよう、検出孔２１９から離れた高さ位置に設けられる。
【００２０】
図５は、移動片３０７が突出体３０１に押されてマイクロスイッチ３０６がオンになった状態を示す模式的な平面図である。ＲＦＩＤ単票プリンタ１０１において、第２扉２１０の回動先端側に設けられた突出体３０１は、開口部２０１の全体が給紙部カバー１０４によって閉じられることによって検出孔２１９に入り込む。このとき、突出体３０１を構成する円板体３０５の外周３０５ａは、移動片３０７の表面３０９側に当接し、ＲＦＩＤ単票プリンタ１０１の下流側側面１０３ｂの方向に移動片３０７を押す。移動片３０７は、円板体３０５に押されて下流側側面１０３ｂ側の方向に動き、図５において一点鎖線で描かれる移動片３０７の位置ＢＦから図５において実線で描かれる移動片３０７の位置ＡＦまで変位する。このとき、移動片３０７の裏面３１０側に配置された金属体３１１は、電極接点３０８の金属突起３１３に接触する。その結果、マイクロスイッチ３０６はオンとなり、ＲＦＩＤ単票プリンタ１０１に対する給電がなされる。
【００２１】
一方、給紙部カバー１０４が開かれることにより、突出体３０１は検出孔２１９から抜け、円板体３０５の外周３０５ａは移動片３０７の表面３０９側から離反する。このとき、突出体３０１はスプリング（図示せず）に付勢されて上流側側面１０３ａの方向に動き、位置ＡＦから位置ＢＦまで変位する。
【００２２】
図６は、突出体３０１が移動片３０７を押す様子を示す平面図である。以下、図５及び図６に基づいて説明する。
【００２３】
まず、ネジ２１７がネジ孔２１５に入り込み雌ネジ孔２１６と螺合して第１扉２０９と第２扉２１０とを固定した状態を考える。この場合、給紙部カバー１０４では、第１扉２０９と第２扉２１０とが９０度の角度をなしたまま一体的に動き、開口部２０１の全体を開閉する。このとき、給紙部カバー１０４が回動することによる軸体３０４の軸体移動軌跡Ｒ１は、ヒンジ２１１の回動中心点２１１ａを中心点とする円弧となる。
【００２４】
次に、ネジ２１７をネジ孔２１５及び雌ネジ孔２１６から外した状態を考える。この場合、第２扉２１０は、第１扉２０９に対し回動自在となっている。この状態では、使用者は、把手２１４を手に取り第２扉２１０を開くことで、開口部２０１のうち上流側側面１０３ａ側に開口する部分を第１扉２０９によって閉じたままで開口部２０１のうち左側側面１０３ｃ側に開口する部分のみを開閉することができる。このとき、第２扉２１０が回動することによる軸体３０４の軸体移動軌跡Ｒ２は、ヒンジ２１２の回動中心点２１２ａを中心点とする円弧となる。
【００２５】
ここで、検出孔２１９及びマイクロスイッチ３０６の移動片３０７について注目する。本実施の形態の検出孔２１９は、左側側面１０３ｃと当接面１０３ｅとに連なった形状で、固定構造２１８によって固定された第１扉２０９と第２扉２１０との回動に伴う突出体３０１の第１の移動軌跡Ｋ１とハウジング１０３とが交差する箇所、及び、第１扉２０９が開口部２０１のうち上流側側面１０３ａに開口する部分を閉止した状態での第２扉２１０の回動に伴う突出体３０１の第２の移動軌跡Ｋ２とハウジング１０３とが交差する箇所に開口するよう形成されている。そして、本実施の形態の移動片３０７は、第１の移動軌跡Ｋ１と第２の移動軌跡Ｋ２との交差領域Ｋ３に配置される。検出孔２１９がこのような形状を有し、移動片３０７が交差領域Ｋ３に配置されるからこそ、第１の移動軌跡Ｋ１を移動する突出体３０１も、第２の移動軌跡Ｋ２を移動する突出体３０１も、検出孔２１９に入り込んで移動片３０７に接触する。
【００２６】
検出孔２１９に入り込んだ突出体３０１は、移動片３０７の表面３０９側に接触する。ここで、突出体３０１を構成する円板体３０５の外周３０５ａは、凸の曲面状に形成されている。また、移動片３０７は、前述したように、方向Ｄに変位自在に設けられている。この方向Ｄは、第１の移動軌跡Ｋ１を移動する突出体３０１に沿う方向になる。突出体３０１が軸体３０４が軸体移動軌跡Ｒ１を描くように突出体３０１が移動して検出孔２１９に入り込み移動片３０７に真っ直ぐに突き当たった場合、突出体３０１は非滑り状態で移動片３０７に接触し、移動片３０７は円板体３０５の外周３０５ａから方向Ｄの抗力をＮ１を受ける。また、軸体３０４が軸体移動軌跡Ｒ２を描くように突出体３０１が移動して検出孔２１９に入り込んだ場合、移動片３０７は、表面３０９に滑り接触する円板体３０５の外周３０５ａから、方向Ｄの成分を有する抗力Ｎ１、Ｎ２を受けることになる。いずれにしても、移動片３０７は方向Ｄに沿って下流側側面１０３ｂ側に動く。
【００２７】
ここで、本実施の形態の突出体３０１及び移動片３０７についての変形例について、図７及び図８に基づいて説明する。本実施の形態のＲＦＩＤ単票プリンタ１０１では、突出体３０１や移動片３０７について、図６に示す形状のものと、図７や図８に示す形状のものとのいずれをも採用することができる。
【００２８】
図７は、本実施の形態の突出体３０１及び移動片３０７の第一の変形例について示す模式的な平面図である。第一の変形例において、移動片３０７の外面は平面状に形成されている。そして、突出体３０１を構成する円板体３０５は、移動片３０７に当接する領域（円板体３０５の外周３０５ａ）が凸の曲面状となっている。ここで、突出体３０１が第１の移動軌跡Ｋ１を移動して検出孔２１９に入り込み移動片３０７に接触した場合、突出体３０１は非滑り状態で移動片３０７に接触し、移動片３０７は、平面状の表面３０９に真っ直ぐに突き当たる円板体３０５の外周３０５ａに押されて方向Ｄと平行な抗力Ｎ１を平面状の表面３０９に受け、方向Ｄに沿って下流側側面１０３ｂ側に動く。また、突出体３０１が第２の移動軌跡Ｋ２を移動して検出孔２１９に入り込み移動片３０７に接触した場合、円板体３０５が移動片３０７の平面状の表面３０９に傾斜した状態にて滑りながら接触してこの表面３０９を押し、移動片３０７に方向Ｄと平行な成分を有する抗力Ｎ２を与えて移動片３０７を方向Ｄに沿って下流側側面１０３ｂ側に動かす。
【００２９】
図８は、本実施の形態の突出体３０１及び移動片３０７の第二の変形例について示す模式的な平面図である。第二の変形例において、突出体３０１は円板体３０５に代えて矩形体３５１を有する。そして、移動片３０７の表面３０９は、凸の曲面状となっている。ここで、突出体３０１が第１の移動軌跡Ｋ１を移動して検出孔２１９に入り込み移動片３０７に接触した場合、突出体３０１は非滑り状態で移動片３０７に接触し、移動片３０７は、曲面状の表面３０９に真っ直ぐに突き当たる矩形体３５１の外周３５１ａに押されて方向Ｄと平行な抗力Ｎ１を曲面上の表面３０９に受け、方向Ｄに沿って下流側側面１０３ｂ側に動く。このとき、矩形体３５１は、矩形体３５１の外周３５１ａを移動片３０７の表面３０９に滑らせながら、移動片３０７を位置ＢＦから位置ＡＦに押す。また、突出体３０１が第２の移動軌跡Ｋ２を移動して検出孔２１９に入り込み移動片３０７に接触した場合、矩形体３５１が移動片３０７の曲面状の表面３０９に対して滑りながらこの表面３０９を押し、移動片３０７に方向Ｄと平行な成分を有する抗力Ｎ２を与えて移動片３０７を方向Ｄに沿って下流側側面１０３ｂ側に動かす。
【００３０】
このように、図６ないし図８に基づいて説明したように、マイクロスイッチ３０６のスイッチ３０６が第１の移動軌跡Ｋ１を移動する突出体３０１に沿う方向（方向Ｄ）に変位自在に設けられているＲＦＩＤ単票プリンタ１０１に対し、移動片３０７及び突出体３０１の少なくとも一方において他方に当接する領域に凸の曲面状であるものを採用することで、移動片３０７の表面３０９は抗力Ｎ１、Ｎ２を受け、移動片３０７は給紙部カバー１０４の開閉に応じ方向Ｄに沿って下流側側面１０３ｂ側に動く。
【００３１】
なお、図６及び図８に図示した変形例の他にも、移動片３０７及び突出体３０１の少なくとも一方において他方に当接する領域が曲面状ではなく角状であるものを採用してもよい。この場合でも、第２の移動軌跡Ｋ２を移動する突出体３０１は、移動片３０７の表面３０９を押し、移動片３０７を方向Ｄに沿って下流側側面１０３ｂに動かす。
【００３２】
図９は、給紙部カバー１０４が開閉することによりマイクロスイッチ３０６が切り替わる様子を示す平面図である。本実施の形態のＲＦＩＤ単票プリンタ１０１では、ネジ２１７がネジ孔２１５及び雌ネジ孔２１６に入り込んで螺合し、第１扉２０９と第２扉２１０とを固定することができる。そして、使用者は、把手２１４を持って引き、第１扉２０９と第２扉２１０とを一緒に回動させて、開口部２０１を上流側側面１０３ａと左側側面１０３ｃ側との両方に開くことができる（図９（ａ））。このとき、突出体３０１は、軸体３０４が軸体移動軌跡Ｒ１を描くように動いて、検出孔２１９に入り込む。突出体３０１のうち円板体３０５は、マイクロスイッチ３０６を構成する移動片３０７を真っ直ぐに押し、下流側側面１０３ｂの方向に移動片３０７を変位させ、マイクロスイッチ３０６をオンにする。また、突出体３０１が検出孔２１９から抜けることで、移動片３０７はスプリング（図示せず）に付勢されて上流側側面１０３ａの方向に変位する。その結果、マイクロスイッチ３０６はオフになる。
【００３３】
本実施の形態のＲＦＩＤ単票プリンタ１０１では、ネジ２１７がネジ孔２１５及び雌ネジ孔２１６から取り外された場合、第２扉２１０は、第１扉２０９に対し独立して回動することができる。そして、使用者は、把手２１４を持って引き第２扉２１０のみを回動させて、開口部２０１のうち左側側面１０３ｃ側に開口する部分のみを開くことができる（図９（ｂ））。このとき、突出体３０１は、軸体３０４が軸体移動軌跡Ｒ２を描くように動いて、検出孔２１９に入り込む。この場合でも、突出体３０１のうち円板体３０５が傾斜した状態にて移動片３０７の表面３０９を滑りながら接触してこの移動片３０７を押すことでマイクロスイッチ３０６がオンになり、また、突出体３０１が検出孔２１９から抜けてマイクロスイッチ３０６がオフになる。
【００３４】
このように、本実施の形態のＲＦＩＤ単票プリンタ１０１によれば、開口部２０１を複数の方向から開く給紙部カバー１０４とマイクロスイッチ３０６とを、簡易な構造で連動させることができる。
【００３５】
次いで、本発明の別の実施の一形態（第二の実施の形態）について、図１０に基づいて説明する。この場合、第一の実施の形態及びその変形例と同一の部分には同一の符号を用い、説明も省略する。
【００３６】
図１０は、突出体３０１が移動片３０７を押す様子を示す平面図である。本実施の形態の移動片３０７は、表面３０９を上流側側面１０３ａから左側側面１０３ｃ側に傾けた方向に向けて配置される。また、本実施の形態では、突出体３０１及び移動片３０７の少なくとも一方が、図６〜図８に基づいて述べたように凸の曲面状に形成されていても、図１０に示すように、移動片３０７の表面３０９及び矩形体３５１の外周３５１ａとのいずれもが平面状であってもよい。
【００３７】
本実施の形態のＲＦＩＤ単票プリンタ１０１では、第１扉２０９と第２扉２１０とが固定構造２１８によって固定された状態であっても、第２扉２１０が第１扉２０９に対し独立して回動可能な状態であっても、給紙部カバー１０４の開閉に伴って動く突出体３０１が検出孔２１９に入り込み、突出体３０１を構成する円板体３０５や矩形体３５１が移動片３０７の表面３０９に接触する。ここで、本実施の形態では、突出体３０１が移動片３０７に突き当たる際に、突出体３０１は、その外周が移動片３０７に対して傾斜状態で滑り接触し移動片３０７を方向Ｄに変位させる。このため、本実施の形態においても、給紙部カバー１０４が開閉することに伴って、マイクロスイッチ３０６が切り替わる。つまり、本実施の形態のＲＦＩＤ単票プリンタ１０１によっても、開口部２０１を複数の方向から開く給紙部カバー１０４とマイクロスイッチ３０６とを、簡易な構造で連動させることができる。
【００３８】
ところで、これまでに述べた実施の形態及びその変形例においては、検出部は２４Ｖ電源用のメカスイッチとなるマイクロスイッチ３０６である。このため、給紙部カバー１０４が動いて突出体３０１が検出孔２１９から容易に抜けてしまうことは好ましくない。そこで、本実施の形態では、突出体３０１が検出孔２１９に入り込むことで、延出部３０３が検出孔２１９の下面と接触し、給紙部カバー１０４が外れて開口部２０１が開放されてしまうことが防止される。さらに、給紙部カバー１０４が開口部２０１を閉じて、ハウジング１０３に設けられた磁石部２２０と給紙部カバー１０４の第２扉２１０に設けられた鉄体２２１とが磁力によりくっつくことによっても、給紙部カバー１０４が外れて開口部２０１が開放されてしまうことが防止される。
【００３９】
また、これまでに述べた実施の形態及びその変形例では、検出部として所定方向にのみ変位する移動片３０７を有しこの移動片３０７の変位に応じて切り替わるマイクロスイッチ３０６を用いたが、検出部の種類はこれに限られることがない。一例として、検出部として、検出光を発する発光部とその検出光を受光する受光部とを有する光センサを用いたスイッチを採用することができる。この場合、検出孔２１９から入り込み突出体３０１が位置付けられる箇所を挟む位置に発光部と受光部とを配置する。こうすることで、突出体３０１が検出孔２１９に入り込んだり検出孔２１９から抜けたりすることで、光センサを用いたスイッチが切り替わる。そして、このような光センサを用いたスイッチをＲＦＩＤ単票プリンタ１０１の制御回路（図示せず）に接続し、制御回路にスイッチからの出力される電気信号に応じた制御を行わせて、ブザー部（図示せず）から警告音を鳴らしたり、液晶ディスプレイ１０７にエラーメッセージを表示させたりしてもよい。
【００４０】
なお、本実施の形態及びその変形例で示したハウジング１０３の開口部２０１に対する給紙部カバー１０４の開閉構造は、当然のことながら、ＲＦＩＤ単票プリンタ１０１に限らず、ハウジングに隣接する二つの面に跨って形成される開口部を有するいずれの電気機器に対しても採用することができる。
【図面の簡単な説明】
【００４１】
【図１】第一の実施の形態における、ＲＦＩＤ単票プリンタの外観斜視図である。
【図２】ＲＦＩＤ単票プリンタを図１とは反対側から見た外観斜視図である。
【図３】給紙部カバーが開かれた状態のＲＦＩＤ単票プリンタの外観斜視図である。
【図４】マイクロスイッチを示す模式的な平面図である。
【図５】移動片が突出体に押されてマイクロスイッチがオンになった状態を示す模式的な平面図である。
【図６】突出体が移動片を押す様子を示す平面図である。
【図７】突出体３０１及び移動片３０７の第一の変形例について示す模式的な平面図である。
【図８】突出体３０１及び移動片３０７の第二の変形例について示す模式的な平面図である。
【図９】給紙部カバーが開閉することによりマイクロスイッチが切り替わる様子を示す平面図である。
【図１０】第二の実施の形態における、突出体３０１が移動片３０７を押す様子を示す平面図である。
【符号の説明】
【００４２】
１０１…ＲＦＩＤ単票プリンタ（電気機器）、１０３…ハウジング、１０３ａ…上流側側面（第１面）、１０３ｃ…左側側面（第２面）、２０１…開口部、２０９…第１扉、２１０…第２扉、２１１ａ…回動中心点（第１扉に対する第２扉の回動中心）、２１８…固定構造、２１９…検出孔、３０１…突出体、３０５ａ…円板体の外周（外周又はその外周に当接する領域）、３０６…マイクロスイッチ（検出部）、３０７…移動片、３０８…電極接点（接点）、Ｋ１…第１の移動軌跡、Ｋ２…第２の移動軌跡、Ｋ３…交差領域、
【図１】
2010143112.tif 000003
【図２】
2010143112.tif 000004
【図３】
2010143112.tif 000005
【図４】
2010143112.tif 000006
【図５】
2010143112.tif 000007
【図６】
2010143112.tif 000008
【図７】
2010143112.tif 000009
【図８】
2010143112.tif 000010
【図９】
2010143112.tif 000011
【図１０】
2010143112.tif 000012